(57)【要約】      （修正有）【課題】電源変換の設計によって、モバイル通信装置に供電でき、またはフレキシブル回路基板を介して電力を伝送できる拡張装置及びそれを備えた保護ケースを提供する。【解決手段】拡張装置１０は保護ケースに適用される。保護ケースはモバイル通信装置を保護する。拡張装置は、本体１００、変換ユニット１１０、フレキシブル回路基板１２０を有する。本体は、電源出力インターフェイス１００４と外部電源インターフェイス１００２を有する。変換ユニットは本体内に設置され、電源出力インターフェイス及び外部電源インターフェイスに電気的に接続される。フレキシブル回路基板は変換ユニットに電気的に接続され、本体から外に向けて延伸される。外部電源インターフェイスは商用電源を受電し、変換ユニットは商用電源を第一電力及び第二電力に変換し、第一電力は電源出力インターフェイスから出力され、第二電力はフレキシブル回路基板を介して伝送される。【選択図】図１
0003203958.tif 000002
【実用新案登録請求の範囲】
【請求項１】
モバイル通信装置を保護する保護ケースに適用される拡張装置であって、
電源出力インターフェイス及び外部電源インターフェイスを有する本体と、
前記本体内に設置され、前記電源出力インターフェイス及び前記外部電源インターフェイスに電気的に接続される変換ユニットと、
前記変換ユニットに電気的に接続され、前記本体から外に向けて延伸されるフレキシブル回路基板と、
を含み、
前記外部電源インターフェイスは商用電源を受電し、前記変換ユニットは前記商用電源を第一電力及び第二電力に変換し、前記第一電力は前記電源出力インターフェイスから出力され、前記第二電力は前記フレキシブル回路基板を介して伝送されることを特徴とする拡張装置。
【請求項２】
前記変換ユニットは、
変換素子と、
電圧安定化素子と、
変圧素子と、
を含み、
前記変換素子は前記外部電源インターフェイス及び前記電圧安定化素子に電気的に接続され、
前記変圧素子は前記電源出力インターフェイス及び前記フレキシブル回路基板に電気的に接続されることを特徴とする請求項１に記載の拡張装置。
【請求項３】
前記変換ユニットは、
制御素子と、
前記制御素子に電気的に接続されるスイッチ素子と、
を更に含み、
前記スイッチ素子は前記変圧素子と前記フレキシブル回路基板との間に電気的に接続され、
前記制御素子は前記電圧安定化素子または前記変圧素子に電気的に接続され、
前記制御素子は前記スイッチ素子のオンまたはオフを制御することを特徴とする請求項２に記載の拡張装置。
【請求項４】
前記商用電源と前記外部電源インターフェイスとの間に電気的に接続される電源プラグを更に含み、
前記電源プラグは交流−直流変換回路を有し、
前記変換素子は直流−直流変換回路であり、
前記電圧安定化素子は電圧安定化回路であり、
前記変圧素子は変圧回路であることを特徴とする請求項２に記載の拡張装置。
【請求項５】
前記直流−直流変換回路は昇圧回路、降圧回路、昇降圧回路のうちの少なくとも一つまたはその組み合わせであることを特徴とする請求項４に記載の拡張装置。
【請求項６】
前記変換素子は交流−直流変換回路であり、
前記電圧安定化素子は電圧安定化回路であり、
前記変圧素子は変圧回路であることを特徴とする請求項２に記載の拡張装置。
【請求項７】
モバイル通信装置に装着される保護ケースであって、
前記モバイル通信装置を収容する収容部と、
前記収容部と接続する底部と、
前記収容部の外側に設置される請求項１に記載の拡張装置と、
を含み、
前記底部内にフレキシブル回路基板が設置されることを特徴とする保護ケース。
【請求項８】
前記底部は保護ケースの外カバーであり、
前記フレキシブル回路基板は前記外カバー内で接続部まで延伸され、その末端が前記接続部に電気的に接続されることを特徴とする請求項７に記載の保護ケース。
【請求項９】
前記接続部はモバイル電源装置に電気的に接続されることを特徴とする請求項８に記載の保護ケース。
【請求項１０】
前記拡張装置の本体と前記収容部とは一体化され、
前記電源出力インターフェイスは前記収容部の内側に設置され、
前記外部電源インターフェイスは前記収容部の外側に設置されることを特徴とする請求項７に記載の保護ケース。
【考案の詳細な説明】
【技術分野】
【０００１】
本考案は、拡張装置及びその保護ケースに関するものであり、特にモバイル通信装置に適用される拡張装置及びその保護ケースに関するものである。
【背景技術】
【０００２】
市販されているモバイル電源は主に、モバイル電源の本体内に設置されたバッテリー及び制御回路基板と、本体に配置された少なくとも一つのＵＳＢ（ユニバーサルシリアルバス）伝送インターフェイスとからなる。充電する際、バッテリー内に蓄積された電エネルギーが制御回路基板によって適正の電圧と電流に変換され、ＵＳＢ伝送インターフェイスを介してユーザーのモバイル装置に提供される。スマートフォン及びタブレット等のモバイル装置市場が高度に成長続けることに伴い、モバイル装置もマルチコアとディスプレーの大型化に向けて発展するため、電力の消費量は明らかに向上すると共に、ここ数年、市場におけるモバイル電源に対する需要も刺激されて大きく成長する。
【０００３】
しかしながら、スマートフォンもタブレットも、このようなモバイル電源を使用するために、別に用意された電力を伝送する電源伝送線が必要となる。また、電力が使い切れた時、このようなモバイル電源は別に用意された充電コンバーターによって電力を補充する。即ち、出かける際、ユーザーは一度にモバイル電源と、電源伝送線と、充電コンバーターとを持ち歩く必要があり、使用する際の面倒と持ち歩く際の不便がある。
【考案の概要】
【考案が解決しようとする課題】
【０００４】
本考案は、電源変換する設計によってモバイル通信装置へ供電し、あるいはフレキシブル回路基板から電力を伝送する拡張装置及びその保護ケースを提供する。
【課題を解決するための手段】
【０００５】
本考案の拡張装置は、保護ケースに適用される拡張装置であって、電源出力インターフェイス及び外部電源インターフェイスを有する本体と、本体内に設置され、電源出力インターフェイス及び外部電源インターフェイスに電気的に接続される変換ユニットと、変換ユニットに電気的に接続され、本体から外に向けて延伸されるフレキシブル回路基板と、を含み、外部電源インターフェイスは商用電源を受電し、変換ユニットは商用電源を第一電力及び第二電力に変換し、第一電力は電源出力インターフェイスから出力され、第二電力はフレキシブル回路基板を介して伝送されることを特徴とする。
【０００６】
本考案の保護ケースはモバイル通信装置に装着される保護ケースであって、モバイル通信装置を収容する収容部と、収容部と接続する底部と、収容部の外側に設置される拡張装置と、を含み、底部内にフレキシブル回路基板が設置されることを特徴とする。
【考案の効果】
【０００７】
本考案の具体的な実施形態は、拡張装置及びその保護ケースを利用し、電源変換する設計によってモバイル通信装置へ供電し、あるいはフレキシブル回路基板から電力を伝送する。そして、スマートフォンは保護ケースによって覆われることにより、モバイル通信装置は優れた保護効果を得られる。本考案は拡張装置及びその保護ケースの操作利便性、効率、品質を確実に向上する効果がある。
【図面の簡単な説明】
【０００８】
【図１】本考案に係る実施例における拡張装置の模式図である。
【図２】本考案に係る他の実施例における保護ケースの模式図である。
【図３】本考案に係る他の実施例における保護ケースの機能ブロック図である。
【図４】本考案に係る他の実施例における保護ケースの模式図である。
【考案を実施するための形態】
【０００９】
図１は本考案に係る実施例における拡張装置の模式図である。図１に示されたように、拡張装置１０が保護ケースに適用される。保護ケースはモバイル通信装置を保護する。拡張装置１０は、本体１００と、変換ユニット１１０と、フレキシブル回路基板１２０とを含む。本実施例において、保護ケースは、スマートフォンの保護カバー、タブレットの保護カバー、または他の通信装置の保護ケースである。説明の便宜上、本実施例において、スマートフォンの保護カバーを一例として挙げて説明するが、保護ケースの態様は限定されない。
【００１０】
拡張装置１０はウルトラボックス（Ｕｌｔｒａ  Ｂｏｘ）であり、モバイル通信装置と外部電源との間に電気的に接続される。拡張装置１０はプラットホームとして外部からモバイル通信装置に電源を供給する。また、拡張装置１０はフレキシブル回路基板１２０を介して電力を出力できる。フレキシブル回路基板１２０は本体１００から外に延伸する。本実施例において、拡張装置１０の態様は限定されない。
【００１１】
本体１００は電源出力インターフェイス１００４及び外部電源インターフェイス１００２を含む。本実施例において、電源出力インターフェイス１００４はスマートフォンに電気的に接続され、外部電源インターフェイス１００２は外部電源に電気的に接続される。本実施例において、電源出力インターフェイス１００４は、スマートフォンの充電孔または充電構造と電気的に接続するための電源接続ポートである。そして、外部電源インターフェイス１００２は電源接続ポートに接続されることによって、外部電源である商用電源に電気的に接続される。即ち、商用電源は外部電源インターフェイス１００２を介して変換ユニット１１０に入り、変換ユニット１１０によって変換された後、電源出力インターフェイス１００４によって電力をスマートフォンに出力する。
【００１２】
変換ユニット１１０は本体１００内に設置され、電源出力インターフェイス１００４及び外部電源インターフェイス１００２に電気的に接続される。本実施例において、変換ユニット１１０は、交流−直流変換回路及び直流−直流変換回路のいずれか一つまたはその組み合わせによって実現される。本実施例において、変換ユニット１１０の態様は制限されない。
【００１３】
フレキシブル回路基板１２０は変換ユニット１１０に電気的に接続され、本体１００から外に延伸される。外部電源インターフェイス１００２は商用電源を受電し、変換ユニット１１０は商用電源を第一電力及び第二電力に変換し、電源出力インターフェイス１００４から第一電力を出力し、そしてフレキシブル回路基板１２０から第二電力を伝送する。
【００１４】
拡張装置１０は外部電源インターフェイス１００２を介して１１０Ｖ（ボルト）の交流電力を受電する。電源プラグは商用電源と外部電源インターフェイス１００２との間に電気的に接続される。電源プラグは交流−直流変換回路の回路設計を具えることによって、直流電力を電源プラグから拡張装置１０に伝送される。直流電力は外部電源インターフェイス１００２から入る。変換ユニット１１０は直流−直流変換回路であり、直流電力をスマートフォン用電力として使用できる第一電力に変換し、第一電力をスマートフォンに伝送する。また、変換ユニット１１０は直流電力をモバイル電源装置用電力として使用できる第二電力に変換し、フレキシブル回路基板１２０を介して第二電力を伝送する。
【００１５】
他の実施例において、電源プラグは交流−直流変換回路である回路設計を備えていない。交流電力は外部電源インターフェイス１００２から入れられる。変換ユニット１１０は交流−直流変換回路であるため、交流電力を直流電力に変換して直流電力に対して整流、電圧安定化及び変圧などの処理作業を行う。従って、変換ユニット１１０は電源出力インターフェイス１００４を介して第一電力を出力し、フレキシブル回路基板１２０を介して第二電力を伝送する。また、拡張装置１０の実施態様は本実施例によって限定されない。
【００１６】
図２は本考案に係る他の実施例における保護ケースの模式図である。図２に示されたように、保護ケース１はモバイル通信装置に装着することに適するものである。本実施例において、本実施例に係る保護ケース１はスマートフォンの保護ケースとして使用できる。モバイル通信装置はスマートフォン、タブレットまたはパーソナル・デジタル・アシスタント（ＰＤＡ）であってもよい。説明の便宜上、本実施例のモバイル通信装置はスマートフォンを例として説明する。本実施例はモバイル通信装置の態様を制限しない。
【００１７】
保護ケース１は収容部１２、底部１４及び拡張装置１０を含む。本実施例において、モバイル通信装置が収容部１２に収容される。図２に示されたように、底部１４は、収容部１２と接続されると共に、収容部１２の外側の底部に設置される。拡張装置１０が収容部１２の外側に設置される。拡張装置１０の本体１００と収容部１２が一体化される。電源出力インターフェイス１００４は収容部１２の内側に設置され、外部電源インターフェイス１００２が収容部１２の外側に設置される。説明の便宜上、本実施例の拡張装置１０は収容部１２の下方の短辺側に設置されたものとする。他の実施例において、拡張装置１０は収容部１２の上方の短辺側に設置され、あるいは収容部１２の左右長辺側に設置される。
【００１８】
保護ケース１はスマートフォンの保護ケースとしてのプラスチック保護ケースまたはその他の材質からなる保護ケースである。収容部１２はスマートフォンを収容する。スマートフォンの型態に応じて、収容部１２にはカメラレンズ孔構造、スマートフォンボタン孔構造、充電孔構造またはその他の孔構造が配置されている。保護ケース１の態様は本実施例によって限定されない。また、保護ケース１は埃、衝撃、衝突、傷や擦り傷、水、を防止する効果及び衝撃吸収の効果を奏する。例えば、埃、汚れがスマートフォンの挿入孔または接続ポートに入ることがなくなり、そのため埃がたまることによって挿入孔または接続ポートが壊れることは回避される。
【００１９】
フレキシブル回路基板１２０が底部１４内に設置される。底部１４は保護ケース１の外カバーである。フレキシブル回路基板１２０は外カバーの内部から接続部Ｃ１に延伸される。即ち、フレキシブル回路基板１２０の末端が接続部Ｃ１に電気的に接続される。本実施例において、接続部Ｃ１はモバイル電源装置ＰＢ（Ｐｏｗｅｒ  Ｂａｎｋ）に電気的に接続される。接続部Ｃ１はモバイル電源装置ＰＢに対応して電気接合する接続ポートである。接続部Ｃ１は係合、挿入、マグネット付着またはその他の方式を介してモバイル電源装置ＰＢと電気的に接続できる。接続部Ｃ１の態様は本実施例によって限定されない。
【００２０】
続いて、保護ケース１の回路構造とその動作をさらに詳しく説明する。
【００２１】
図３は本考案に係る他の実施例における保護ケースの機能ブロック図である。図３を参照する。図３に示されたように、変換ユニット１１０は、変換素子１１０２と、電圧安定化素子１１０４と、変圧素子１１０６と、制御素子１１０８と、制御素子１１０８に電気的に接続されるスイッチ素子１１１０とを含む。本実施例において、変換素子１１０２が外部電源インターフェイス１００２及び電圧安定化素子１１０４に電気的に接続され、変圧素子１１０６が電源出力インターフェイス１００４及びフレキシブル回路基板１２０に電気的に接続される。スイッチ素子１１１０が変圧素子１１０６とフレキシブル回路基板１２０との間に電気的に接続される。制御素子１１０８は電圧安定化素子１１０４または変圧素子１１０６と電気的に接続し、スイッチ素子１１１０のオン・オフを制御する。
【００２２】
制御素子１１０８は半導体電子素子の制御回路、処理回路または判断回路の何れによって実現する。制御素子１１０８の態様は本実施例によって制限されない。制御素子１１０８の動作電源は電圧安定化素子１１０４からのものである。他の実施例では、制御素子１１０８の動作電源は変圧素子１１０６からのものでもよい。当業者にとって、制御素子１１０８は自由に設計できるものである。
【００２３】
また、本実施例はさらに電源プラグ４０を含む。電源プラグ４０は商用電源と外部電源インターフェイス１００２との間に電気的に接続される。電源プラグ４０は交流−直流変換回路を具える。変換素子１１０２は直流−直流変換回路であり、直流昇圧回路、直流降圧回路または直流昇降圧回路のいずれによって実現される。電圧安定化素子１１０４は電圧安定化回路またはフィルター回路である。変圧素子１１０６は変圧回路である。他の実施例では、変換素子１１０２は交流−直流変換回路であり、交流電力を直流電力に変換するためのものである。変換素子１１０２、電圧安定化素子１１０４及び変圧素子１１０６の態様は本実施例によって制限されない。
【００２４】
変換ユニット１１０はさらに保護素子を含む（図示せず）。保護素子は過充電保護回路、過電流保護回路または過電圧保護回路によって実現される。保護素子の態様は本実施例によって制限されない。
【００２５】
保護ケース１は商用交流電力等の外部電源に電気的に接続される。外部電源は電源プラグ４０及び外部電源インターフェイス１００２を介して変換ユニット１１０に入る。変換素子１１０２は交流電力を直流電力に変換する。直流電力は電圧安定化素子１１０４によって電圧安定化されて変圧素子１１０６に伝送される。直流電力は電源出力インターフェイス１００４を介してスマートフォンに出力される。なお、直流電力は接続部Ｃ１を介してモバイル電源装置に出力されてもよい。
【００２６】
本実施例において、商用電源はスマートフォンに対する充電及びモバイル電源装置に対する充電を行うことができる。モバイル電源装置はフル充電状態になった後、制御スイッチ素子１１１０が制御素子１１０８に制御されてオフ状態になることによって、外部電源はモバイル電源装置に対する供電を停止する。また、変圧素子１１０６と電源出力インターフェイス１００４との間にスイッチ素子（図示せず）を設置することによって、制御素子１１０８で変圧素子１１０６とモバイル通信装置９との間の供電回路のオン・オフを制御してもよい。
【００２７】
図４は本考案に係る他の実施例における保護ケース１ａの模式図である。図４を参照する。本実施例は前記実施例に係る図２の保護ケース１と類似するが、保護ケース１ａと１との間に違いがある。その違いとは、拡張装置１０は収容部１２の右長辺側に設置されている点である。拡張装置１０では、スマートフォンの充電孔の位置に応じて電源出力インターフェイス１００４を設置することによって、電源出力インターフェイス１００４をスマートフォンの充電孔と結合させる。外部電源インターフェイス１００２はスマートフォンを使用するユーザーのニーズに応じて外部電源インターフェイス１００２の配置位置を設計してもよい。
【００２８】
フレキシブル回路基板１２０は収容部１２の右長辺側から左に向けて左長辺側に延伸する。他の実施例では、フレキシブル回路基板１２０は接続部Ｃ１の配置位置を基に、接続部Ｃ１に向けて延伸する。フレキシブル回路基板１２０の延伸方向及び長さは本実施例によって制限されない。さらに他の実施例では、保護ケース１ａは底部１４が含まれておらず、且つ接続部Ｃ１は収容部１２の外側に設置されてもよい。保護ケース１ａの態様は本実施例によって制限されない。上記相異点以外にも、当業者によって成された本実施例の操作部分に係る変更も前記実施例とは実質的に等価的なものであり、ここでその詳細を省略する。
【００２９】
上記のように、本考案に係る拡張装置は、電源変換の設計を介してモバイル通信装置に供電し、またはフレキシブル回路基板から電力を伝送するものである。外部電源インターフェイス、電源出力インターフェイス及びフレキシブル回路基板が変換ユニットに電気的に接続される。変換ユニットは直流−直流変換回路または交流−直流変換回路によって第一電力及び第二電力を出力する。第一電力は電源出力インターフェイスを介して出力され、第二電力はフレキシブル回路基板を介して出力される。ユーザーは保護ケースを使用する場合、外部電源によってスマートフォンを直接的に充電することが可能である。また、保護ケースはスマートフォンを被覆することによって、モバイル通信装置は優れた保護効果を得られる。即ち、拡張装置及びその保護ケースは、一体化されたスマートフォン保護ケースである。従って、本考案は確実に拡張装置及びその保護ケースの操作利便性、効率と品質を上げる効果を奏する。
【００３０】
以上は本考案の好ましい実施例に過ぎず、本考案の実用新案登録請求の範囲を限定するものではない。
【符号の説明】
【００３１】
１、１ａ：保護ケース
９：モバイル通信装置
１０：拡張装置
１００：本体
１００２：外部電源インターフェイス
１００４：電源出力インターフェイス
１１０：変換ユニット
１１０２：変換素子
１１０４：電圧安定化素子
１１０６：変圧素子
１１０８：制御素子
１１１０：スイッチ素子
１２０：フレキシブル回路基板
１２：収容部
１４：底部
Ｃ１：接続部
ＰＢ：モバイル電源装置
４０：電源プラグ
【図１】
0003203958.tif 000003
【図２】
0003203958.tif 000004
【図３】
0003203958.tif 000005
【図４】
0003203958.tif 000006